【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
自己結合性顔料粒子を調製する方法であって、以下のステップ：
ａ）１つ以上の結合剤および１つ以上の無機物質を水性環境にて粉砕して懸濁液を得る少なくとも１つのステップ；
ｂ）任意に、ステップａ）の後に、得られた懸濁液を必要に応じて１つ以上の分散助剤の存在下で濃縮する少なくとも１つのステップ；
ｃ）任意に、ステップａ）またはｂ）の後に、得られた懸濁液を乾燥させるステップ；
を含み、
−ステップａ）の前および／または間に、コポリマーが水溶液の形で添加され、前記コポリマーが：
２．１）アルケンである少なくとも１つのアニオン性モノマー；
２．２）アルケンである少なくとも１つのオキシアルキル化モノマーであって、オキシアルキル基が１０から３２個の炭素原子を有する末端疎水性アルキル、アリール、アルキルアリールまたはアリールアルキル基を有する、オキシアルキル化モノマー；
２．３）任意に、アクリル系エステルである少なくとも１つの他のモノマーであって、好ましいアクリル系エステルがアクリル酸エチル、および／または不飽和アミドであり、好ましい不飽和アミドがアクリルアミドである、モノマー；
の重合から生じる、
ことを特徴とする、方法。
【請求項２】
前記モノマーが、前記コポリマー中にコポリマー総重量に対して以下の重量％の：
２．１）５から９５重量％の、好ましくは５０から９５重量％の、さらに好ましくは７０から９５重量％の前記アニオン性モノマー；
２．２）５から９５重量％の、好ましくは５から５０重量％のおよびさらに好ましくは５から３０重量％の前記オキシアルキル化モノマー；
２．３）０から３０％の、好ましくは０から２０重量％の前記他のモノマー；
として存在することを特徴とする、請求項１に記載の方法。
【請求項３】
前記アニオン性モノマーがアクリル酸、メタクリル酸およびこの混合物から選択されることを特徴とする、請求項１または２のいずれか一項に記載の方法。
【請求項４】
前記オキシアルキル化モノマーは、式（Ｉ）：
【化１】
2012515242.tif 000001
［式中：
−ｍ、ｎ、ｐおよびｑは、１５０未満の値を有する整数であり、ｍ、ｎ、およびｐの少なくとも１つは０を超える値を有し、好ましくは１５≦（ｍ＋ｎ＋ｐ）ｑ≦１５０であるように、さらに好ましくは２０≦（ｍ＋ｎ＋ｐ）ｑ≦６０であるように、なおさらに好ましくは２５≦（ｍ＋ｎ＋ｐ）ｑ≦５０であるように、ｑは１以上の値を有し；
−Ｒは、重合性アルケン基を有するラジカルを表し、
−Ｒ１およびＲ２は同じであるかまたは異なっており、水素またはアルキル基を表し、
−Ｒ’は、１０から３２個の炭素原子を有するアルキル、アリール、アルキルアリールまたはアリールアルキル炭化水素鎖を表す］
のモノマーである、請求項１または２のいずれか一項に記載の方法。
【請求項５】
Ｒ’が好ましくはゲルべ反応による直鎖アルコールの縮合から生じる１０から２４個の炭素原子を有する分枝炭化水素鎖であり、前記Ｒ’が好ましくは、２−ヘキシル−１−デカニル、２−オクチル−１−ドデカニルおよびこの混合物から選択されることを特徴とする、請求項４に記載の方法。
【請求項６】
Ｒ’がポリスチリルフェノールであって、好ましくはジスチリルフェノール、トリスチリルフェノールおよびこの混合物から選択されることを特徴とする、請求項４に記載の方法。
【請求項７】
ラジカルＲが、（ａ）炭化水素ラジカル、例えばビニルラジカルおよび／またはアリルラジカル、（ｂ）ラジカル形成オキシアルキルエステル、例えば：アクリル酸および／またはメタクリル酸および／またはマレイン酸のラジカル、（ｃ）Ｎ−オキシアルキルウレタンを形成するラジカル、例えば：アクリルウレタンおよび／またはメタクリルウレタンおよび／またはα−α’ジメチル−イソプロペニル−ベンジルウレタンおよび／またはアリルウレタンのラジカル、（ｄ）オキシアルキルエーテルを形成するラジカル、例えばビニルオキシアルキルエーテルを形成するラジカルおよび／またはアリルオキシアルキルエーテルを形成するラジカルおよび／またはオキシアルキルウレタンを形成するラジカル、（ｅ）オキシアルキルアミドを形成するラジカル、（ｆ）オキシアルキルイミドを形成するラジカル、および（ｇ）この混合物から選択され、さらに好ましくはＲは、オキシアルキルメタクリルエステルを形成することを特徴とする、請求項４に記載の方法。
【請求項８】
前記コポリマーが０から５０％の、好ましくは０から３５％の、およびさらに好ましくは０から２０％の、１つ以上の中和剤による、いずれかの酸性官能基の中和のモル％を特色とすることを特徴とする、請求項１または２のいずれか一項に記載の方法。
【請求項９】
前記中和剤がナトリウム、カリウム、リチウムの水酸化物またはこの混合物から選択されることを特徴とする、請求項８に記載の方法。
【請求項１０】
いずれかのステップｂ）の前記分散化剤がアクリル酸ホモまたはコポリマーであることを特徴とする、請求項１または２のいずれか一項に記載の方法。
【請求項１１】
ステップａ）の間に粉砕された懸濁液の固体含有率が前記懸濁液の総重量に対して、乾燥重量で１から８０％、および好ましくは１５から６０％であることを特徴とする、請求項１または２のいずれか一項に記載の方法。
【請求項１２】
前記無機物質が金属酸化物、例えば二酸化チタンおよび／または三酸化アルミニウム、金属水酸化物、例えば三水酸化アルミニウム、亜硫酸塩、ケイ酸塩、例えばタルクおよび／またはカオリン粘土および／または雲母、炭酸塩、例えば炭酸カルシウムおよび／またはドロマイト、石こう、繻子白およびこの混合物から選択されることを特徴とする、請求項１または２のいずれか一項に記載の方法。
【請求項１３】
前記結合剤が、（ａ）天然起源の結合剤、例えばデンプン、タンパク質、例えばカゼイン、セルロースおよびセルロース性誘導体、例えばエチルヒドロキシエチルセルロース（ＥＨＥＣ）および／またはカルボキシメチルセルロース（ＣＭＣ）、並びに（ｂ）合成結合剤、例えばポリビニルアセテート（ＰＶＡ）、アクリル結合剤、例えばアクリルエステル結合剤および／またはアクリロニトリル結合剤および／またはスチレンアクリル結合剤、スチレン結合剤、スチレン−ブタジエン結合剤およびブタジエン結合剤、並びに（ｃ）この混合物から選択されることを特徴とする、請求項１または２のいずれか一項に記載の方法。
【請求項１４】
ステップａ）の間に、懸濁液に含有された無機物質：結合剤の重量比が、９９：１から１：９９、および好ましくは７０：３０から３０：７０であることを特徴とする、請求項１または２のいずれか一項に記載の方法。
【請求項１５】
前記コポリマーが無機物質の乾燥重量に対して、乾燥重量で０．１から２％に、好ましくは０．１から０．５％に、さらに好ましくは０．１から０．３％に対応する量で実現される、請求項１または２のいずれか一項に記載の方法。
【請求項１６】
いずれかのステップｂ）の間に、無機物質の乾燥重量に対して、０．０１から２重量％の少なくとも１つの分散化剤が添加されることを特徴とする、請求項１または２のいずれか一項に記載の方法。
【請求項１７】
請求項１から１６のいずれか一項に記載の方法によって得られることを特徴とする、自己結合性顔料粒子。
【請求項１８】
プラスチックまたは塗料を調製する方法であって、請求項１７に記載の顔料粒子を使用することを特徴とする、前記方法。